(57)【要約】【課題】給湯リモコンをコミュニケーションツールの１つとして活用できる給湯システムを提供すること。【解決手段】湯を供給する給湯器２と、給湯器２を遠隔操作する給湯リモコン３とを備える給湯システム１において、給湯リモコン３のＣＰＵ４１が、操作パネル３２に入力されたメッセージ、又は、通信ＩＦ３６を介してスマホ１０から受信したメッセージを不揮発性メモリ４４のメッセージデータベース４４２に記憶させ、操作パネル３２を介して閲覧指示が入力された場合に、メッセージデータベース４４２に記憶されたメッセージを操作パネル３２に表示させるようにする。【選択図】 図１
2019174089.tif 000002
【特許請求の範囲】
【請求項１】
湯を供給する給湯設備と、給湯器を遠隔操作する給湯リモコンとを備える給湯システムにおいて、
前記給湯リモコンは、
制御部と、
報知部と、
操作部と、
記憶部と、
情報処理装置との通信を制御する通信部と、を有し、
前記制御部が、
前記操作部に入力されたメッセージ、又は、前記通信部を介して前記情報処理装置から受信したメッセージを前記記憶部に記憶させる記憶手段と、
前記記憶手段に記憶した前記メッセージを、前記報知部に報知させるメッセージ報知手段と、を有すること、
を特徴とする給湯システム。
【請求項２】
請求項１に記載する給湯システムにおいて、
前記制御部は、前記通信部を介して前記情報処理装置からメッセージの閲覧要求を受け付けた場合に、前記記憶部に記憶されたメッセージを、前記通信部を介して前記情報処理装置に送信すること、
を特徴とする給湯システム。
【請求項３】
請求項１又は請求項２に記載する給湯システムにおいて、
前記報知部は、情報を表示する表示部と、音声を出力する音声出力部との少なくとも一方であること、
を特徴とする給湯システム。
【請求項４】
請求項１乃至請求項３の何れか１つに記載する給湯システムにおいて、
前記メッセージ報知手段は、前記操作部を介して閲覧指示が入力された場合に、前記メッセージを前記報知部に報知させること、
を特徴とする給湯システム。
【請求項５】
請求項１乃至請求項３の何れか１つに記載する給湯システムにおいて、
前記メッセージ報知手段は、前記記憶部が前記メッセージを記憶すると直ぐに、前記メッセージを前記報知部に報知させること、
を特徴とする給湯システム。
【請求項６】
請求項１乃至請求項５の何れか１つに記載する給湯システムにおいて、
入浴を予定する入浴予定時間をユーザ毎に設定する入浴予定時間設定手段と、
前記入浴予定時間設定手段により設定された前記入浴予定時間を前記記憶部に記憶させる入浴予定時間記憶手段と、
前記記憶部に記憶された前記入浴予定時間に従って、前記給湯設備を最適に運転する運転計画を作成する運転計画作成手段と、
前記運転計画作成手段が作成した前記運転計画に従って、前記給湯設備の運転を制御する運転制御手段と、を有すること、
を特徴とする給湯システム。
【請求項７】
請求項６に記載する給湯システムにおいて、
前記入浴予定時間設定手段は、
前記操作部を介して前記入浴予定時間を設定する第１入浴予定時間設定手段と、
前記情報処理装置に入力された前記入浴予定時間を、前記通信部を介して前記情報処理装置から受信することにより、前記入浴予定時間を設定する第２入浴予定時間設定手段と、を有すること、
を特徴とする給湯システム。
【請求項８】
請求項６又は請求項７に記載する給湯システムにおいて、
前記運転計画作成手段は、
前記運転計画を作成した後、前記入浴予定時間が変更された場合、変更後の入浴予定時間を前記運転計画に反映させて前記運転計画を修正すること、
を特徴とする給湯システム。
【発明の詳細な説明】
【技術分野】
【０００１】
本発明は、リモコンを用いて給湯器を遠隔操作する給湯システムに関する。より詳しくは、掲示板機能を有する給湯システムに関する。
【背景技術】
【０００２】
例えば、特許文献１には、給湯リモコンを用いて給湯器を遠隔操作する給湯システムが開示されている。給湯リモコンは、例えば、台所やリビングなど人が集まる場所に設置され、時刻や給湯温度などの情報を表示する。
【先行技術文献】
【特許文献】
【０００３】
【特許文献１】特許第３９９７６５２号公報
【発明の概要】
【発明が解決しようとする課題】
【０００４】
特許文献１に記載される給湯リモコンは、人が集まる場所の壁に設置され、家族の目につきやすい。一方、近年、スマートフォンなどの携帯端末の所持者が増え、携帯端末がコミュニケーションツールとして常用されつつある。よって、給湯リモコンを携帯端末と連携させ、コミュニケーションツールとして活用すれば、便利である。
【０００５】
本発明は、上記問題点を解決するためになされたものであり、給湯リモコンをコミュニケーションツールの１つとして活用できる給湯システムを提供することを目的とする。
【課題を解決するための手段】
【０００６】
上記課題を解決するために、本発明の一態様は、（１）湯を供給する給湯設備と、給湯器を遠隔操作する給湯リモコンとを備える給湯システムにおいて、前記給湯リモコンは、制御部と、報知部と、操作部と、記憶部と、情報処理装置との通信を制御する通信部と、を有し、前記制御部が、前記操作部に入力されたメッセージ、又は、前記通信部を介して前記情報処理装置から受信したメッセージを前記記憶部に記憶させる記憶手段と、前記記憶手段に記憶した前記メッセージを、前記報知部に報知させるメッセージ報知手段と、を有すること、を特徴とする。
【０００７】
このような構成の給湯システムは、台所やリビングなど人が集まる場所に設置される給湯リモコンに、給湯リモコン又は情報処理装置を用いて書き込まれたメッセージを報知する掲示板機能を持たせているので、給湯リモコンをコミュニケーションツールの１つとして活用することができる。
【０００８】
（２）（１）に記載する給湯システムにおいて、前記制御部は、前記通信部を介して前記情報処理装置からメッセージの閲覧要求を受け付けた場合に、前記記憶部に記憶されたメッセージを、前記通信部を介して前記情報処理装置に送信すること、を特徴とする。
【０００９】
このような構成によれば、外部の情報処理装置から給湯リモコンの掲示板を閲覧できるので、ユーザ間での情報共有が容易になり、便利である。
【００１０】
（３）（１）又は（２）に記載する給湯システムにおいて、前記報知部は、情報を表示する表示部と、音声を出力する音声出力部との少なくとも一方であること、を特徴とする。
【００１１】
このような構成によれば、ユーザが、給湯リモコンに既設された表示部を用いてメッセージを表示したり、給湯リモコン３に既設された音声出力部を用いてメッセージを音声出力したりすることができるので、配線工事等を別途行わずに、掲示板の閲覧機能を給湯リモコンに持たせることができる。
【００１２】
（４）（１）乃至（３）の何れか１つに記載する給湯システムにおいて、前記メッセージ報知手段は、前記操作部を介して閲覧指示が入力された場合に、前記メッセージを前記報知部に報知させること、を特徴とする。
【００１３】
このような構成によれば、ユーザが都合の良いときにメッセージを確認でき、便利である。
【００１４】
（５）（１）乃至（３）の何れか１つに記載する給湯システムにおいて、前記メッセージ報知手段は、前記記憶部が前記メッセージを記憶すると直ぐに、前記メッセージを前記報知部に報知させること、を特徴とする。
【００１５】
このような構成によれば、ユーザは、例えば給湯リモコンの横で夕食の準備をしながら、メッセージに直ぐに気付くことができ、便利である。
【００１６】
（６）（１）乃至（５）の何れか１つに記載する給湯システムにおいて、入浴を予定する入浴予定時間をユーザ毎に設定する入浴予定時間設定手段と、前記入浴予定時間設定手段により設定された前記入浴予定時間を前記記憶部に記憶させる入浴予定時間記憶手段と、前記記憶部に記憶された前記入浴予定時間に従って、前記給湯設備を最適に運転する運転計画を作成する運転計画作成手段と、前記運転計画作成手段が作成した前記運転計画に従って、前記給湯設備の運転を制御する運転制御手段と、を有すること、を特徴とする。
【００１７】
このような構成によれば、入浴予定時間に合わせて運転計画を立案できるので、給湯設備の運転と入浴時間との乖離を小さくして、省エネ効果を高めることができる。
【００１８】
（７）（６）に記載する給湯システムにおいて、前記入浴予定時間設定手段は、前記操作部を介して前記入浴予定時間を設定する第１入浴予定時間設定手段と、前記情報処理装置に入力された前記入浴予定時間を、前記通信部を介して前記情報処理装置から受信することにより、前記入浴予定時間を設定する第２入浴予定時間設定手段と、を有すること、を特徴とする。
【００１９】
このような構成によれば、情報処理装置を利用して外出先から給湯システムに入浴予定時間を設定できるので、実際の入浴時間と入浴予定時間とのズレを抑制し、省エネ効果を更に高めることができる。
【００２０】
（８）（６）又は（７）に記載する給湯システムにおいて、前記運転計画作成手段は、前記運転計画を作成した後、前記入浴予定時間が変更された場合、変更後の入浴予定時間を前記運転計画に反映させて前記運転計画を修正すること、を特徴とする。
【００２１】
このような構成によれば、入浴予定時間の変更に応じて運転計画を柔軟に修正できるので、給湯設備の運転を実際の入浴時間に適合させ、省エネ効果を更に高めることができる。
【発明の効果】
【００２２】
上記態様によれば、給湯リモコンをコミュニケーションツールの１つとして活用できる給湯システムを実現することができる。
【図面の簡単な説明】
【００２３】
【図１】本発明の一実施形態である給湯システムの概略構成図である。
【図２】操作選択画面の一例を示す図である。
【図３】メッセージ入力画面の一例を示す図である。
【図４】入浴予定時間設定画面の一例を示す図である。
【図５】待機画面の一例を示す図である。
【図６】入浴予定時間設定画面の一例を示す図である。
【図７】掲示板表示画面の一例を示す図である。
【図８】運転計画の一例を示す図である。
【発明を実施するための形態】
【００２４】
以下に、本発明の実施形態について図面に基づいて説明する。図１は、本発明の一実施形態である給湯システム１の概略構成図である。図２は、操作選択画面１７０の一例を示す図である。図３は、メッセージ入力画面１４０の一例を示す図である。図４は、入浴予定時間設定画面１５０の一例を示す図である。図５は、待機画面１１０の一例を示す図である。図６は、入浴予定時間設定画面１３０の一例を示す図である。図７は、掲示板表示画面１２０の一例を示す図である。図８は、運転計画の一例を示す図である。
【００２５】
（給湯システム１の概略構成）
図１に示すように、給湯システム１は、給湯器２と、給湯リモコン３と、風呂リモコン４と、を有し、給湯リモコン３又は風呂リモコン４を用いて給湯器２を遠隔操作できるようになっている。給湯器２は、給湯設備の一例である。
【００２６】
給湯リモコン３は、ドアホンの子機６Ａ、太陽光発電装置６Ｂ、蓄電器６Ｃ、ＨＥＭＳ６Ｄなどの外部機器６に通信可能に接続され、それらのリモコンとしても機能する多機能型リモコンである。また、給湯リモコン３は、ネットワークＮを介して、スマホ１０に通信可能に接続され、給湯リモコン３やスマホ１０から入力されたメッセージを操作パネル３２に表示させる掲示板機能を有する。掲示板機能については後述する。
【００２７】
給湯器２は、屋外に設置される。給湯器２は、設定温度に加熱した湯を熱負荷に供給する。熱負荷は、例えば、風呂や台所などに設けられた蛇口、床暖房などである。給湯器２は、ＣＰＵ２１と、ＲＯＭ２２と、ＲＡＭ２３と、不揮発性メモリ２４とを含むメインコントローラ１１を有する。メインコントローラ１１は、周知のマイクロコンピュータであるので、詳細な説明を省略する。給湯器２は、更に、熱交換機１２と、ポンプ１３と、通信ＩＦ（通信インターフェースの略）１５を備え、これらがメインコントローラ１１に接続されている。
【００２８】
熱交換機１２は、熱源で発生した熱と水との間で熱交換を行わせるものである。熱交換機１２は、例えば、水を加熱して温水用蛇口に供給したり、追い焚き時に風呂水を加熱したり、床暖房時に熱媒体を加熱したりする。熱源は、例えば、ガスを燃焼させる燃焼機や、燃料電池などの発電機である。ポンプ１３は、熱交換機１２と図示しない浴槽との間で湯を循環させるための圧力を発生するものである。通信ＩＦ１５は、外部機器との通信を制御するハードウェアを含む。通信方式は、どのような規格でもよいし、無線でも有線でも良い。尚、熱交換機１２に給湯のみを行わせ、追い焚き用バーナと暖房バーナを別途設けても良い。
【００２９】
給湯器２は、不揮発性メモリ２４に運転プログラム７０が記憶されている。運転プログラム７０は、給湯器２の運転計画を作成し、給湯器２の動作を自動制御するものである。運転プログラム７０は、運転計画作成手段、運転制御手段の一例である。
【００３０】
風呂リモコン４は、浴室の壁面に設置される。風呂リモコン４は、ＣＰＵ６１とＲＯＭ６２とＲＡＭ６３と不揮発性メモリ６４とを含む第２コントローラ５１を有している。第２コントローラ５１は、周知のマイクロコンピュータであるので、詳細な説明を省略する。風呂リモコン４は、更に、通信ＩＦ５２と、液晶パネル５３と、ボタン群５４と、スピーカ５７と、マイク５８とを備え、それらが第２コントローラ５１に接続されている。
【００３１】
液晶パネル５３は、情報を表示するものである。ボタン群５４は、追い焚き等の指示を入力するための押下式のボタンである。ボタン群５４には、浴槽の栓を手動で開閉するための栓手動開閉指示ボタン５４ａが含まれている。例えば、スピーカ５７とマイク５８は、風呂リモコン４に内蔵されている。スピーカ５７は、音声出力を行うものである。マイク５８は、音声を電気信号に変換して出力する装置である。通信ＩＦ５２は、外部装置と通信を行うためのハードウェアを含む。通信ＩＦ５２の通信方式は、どのような規格の方式でもよいし、無線でも有線でもよい。
【００３２】
通信ＩＦ５２は、給湯器２の通信ＩＦ１５に通信線９を介して接続されている。また、通信ＩＦ５２は、排水制御装置５に接続されている。排水制御装置５は、風呂リモコン４から制御信号を受信して、浴槽の栓を開閉するものである。風呂リモコン４は、栓手動開閉指示ボタン５４ａの操作に応じて、排水制御装置５に制御信号を送信する。例えば、ユーザが入浴後に、栓手動開閉指示ボタン５４ａを介して、栓を開ける指示を入力操作すると、風呂リモコン４は、栓を開ける制御信号を排水制御装置５に送信し、排水制御装置５に排水を行わせる。また、風呂リモコン４は、給湯器２からのコマンドに応じて、排水制御装置５に制御信号を送信する。例えば、風呂リモコン４は、給湯器２から栓を閉じるコマンドを受信すると、排水制御装置５に栓を閉じる制御信号を送信し、排水制御装置５に排水を行わせない。
【００３３】
給湯リモコン３は、台所やリビングなどの人が集まる場所の壁に設置される。給湯リモコン３は、ＣＰＵ４１とＲＯＭ４２とＲＡＭ４３と不揮発性メモリ４４とを含む第１コントローラ３１を有している。給湯リモコン３は、更に、操作パネル３２と電源ボタン３３とスピーカ３４とマイク３５と通信ＩＦ３６とを備え、それらが第１コントローラ３１に接続されている。尚、操作パネル３２とスピーカ３４は、報知部の一例である。操作パネル３２は、表示部の一例である。スピーカ３４は、音声出力部の一例である。通信ＩＦ３６は、通信部の一例である。
【００３４】
ＲＯＭ４２には、給湯リモコン３の動作を制御するプログラム等が記憶されている。ＲＡＭ４３は、各種処理が実行される際に作業領域として、あるいは、データを一時的に記憶する記憶領域として利用される。不揮発性メモリ４４は、例えば、ＨＤＤ、フラッシュメモリであり、各種のプログラムやデータを記憶する。不揮発性メモリ４４は、給湯リモコン３の動作を制御する制御プログラム４４１を記憶している。制御プログラム４４１は、例えば、メッセージの書き込みや閲覧、入浴予定時間の設定、入浴予定時間の受け渡しなどの処理を、ＣＰＵ４１に行わせる。また、不揮発性メモリ４４は、掲示板に表示するメッセージを記憶するメッセージデータベース４４２と、入浴予定時間をユーザ毎に記憶する入浴予定時間データベース４４３と、を有する。尚、不揮発性メモリ４４は、記憶部の一例である。制御プログラム４４１は、入浴予定時間設定手段、入浴予定時間記憶手段の一例である。
【００３５】
ＣＰＵ４１は、ＲＯＭ４２や不揮発性メモリ４４から読み出したプログラムに従って、また、ユーザの指示に基づいて、各種の処理を実行する。なお、図１中の第１コントローラ３１は、給湯リモコン３の制御に利用されるハードウェアやソフトウェアを纏めた総称であって、実際に給湯リモコン３に存在する単一のハードウェアを表すとは限らない。ＣＰＵ４１は、制御部の一例である。尚、第１コントローラ３１を制御部の一例にしても良い。
【００３６】
操作パネル３２は、 例えば図３に示すように、タッチパネルであり、ユーザによる入力を受け付けるとともに情報の表示を行う。操作パネル３２は、操作部と表示部とに分けて給湯リモコン３に設けても良い。
【００３７】
電源ボタン３３は、給湯リモコン３のＯＮ状態とＯＦＦ状態を切り換えるボタンである。スピーカ３４とマイク３５は、給湯リモコン３に内蔵されている。スピーカ３４は、音声出力を行うものである。マイク３５は、音声を電気信号に変換して出力する装置である。
【００３８】
図１に示すように、通信ＩＦ３６は、外部装置と通信を行うためのハードウェアを含む。通信ＩＦ３６の通信方式は、どのような規格の方式でもよいし、無線でも有線でもよい。通信ＩＦ３６は、通信線８を介して、給湯器２の通信ＩＦ１５に接続されている。
【００３９】
通信ＩＦ３６は、ドアホンの子機６Ａ、太陽光発電装置６Ｂ、蓄電器６Ｃ、ＨＥＭＳ６Ｄなどの外部機器に通信線７を介して接続されている。ドアホンの子機６Ａは、玄関や門などに設置され、チャイムとカメラを有する。給湯リモコン３は、チャイムが鳴らされると、ドアホンボタン１１７を操作しなくても自動的に、ドアホンの子機６Ａからカメラが撮影した画像を受信し、操作パネル３２に表示させる。また例えば、ユーザがドアホンボタン１１７にタッチして画面を切り換え、切り換え後の画面に表示される操作ボタンを操作することにより、給湯リモコン３は、ドアホンの子機６Ａが撮影した画像やその録画画像を操作パネル３２に表示させる。そのため、操作パネル３２は、セキュリティの観点から、ドアホンの子機６Ａから受信した画像を、人を特定できる程度に表示する表示能力を有する。
【００４０】
また、太陽光発電装置６Ｂは、太陽光を電力に変換する装置である。蓄電器６Ｃは、電力を蓄える装置である。例えば、太陽光発電装置６Ｂや図示しないコージェネレーションシステムで発電された電力が蓄電器６Ｃに蓄電される。ＨＥＭＳ６Ｄは、家庭内のエネルギーを管理する装置である。給湯リモコン３は、通信ＩＦ３６を介して、これらの外部機器６から受信した情報を操作パネル３２に表示させたり、操作パネル３２に入力された指示を受け付けて、通信ＩＦ３６を介して、外部機器６に送信し、外部機器６を遠隔操作したりする。
【００４１】
更に、通信ＩＦ３６は、ネットワークＮに接続可能である。そのため、給湯リモコン３は、ネットワークＮを介して、給湯リモコン３と別体であるスマホ１０との間でデータを送受信することができる。スマホ１０は、情報処理装置の一例であり、ＰＣ（パーソナルコンピュータの略）やタブレット端末などであっても良い。
【００４２】
スマホ１０は、アプリ（アプリケーションプログラムの略）８０を記憶している。アプリ８０は、給湯リモコン３との間でデータを送受信するためのプログラムである。アプリ８０は、例えば、スマホ１０から給湯リモコン３にメッセージを書き込んだり、給湯リモコン３に書き込まれたメッセージをスマホ１０に表示させたりする。また、例えば、アプリ８０は、スマホ１０を利用して、給湯リモコン３に入浴予定時間を設定する。
【００４３】
（動作説明）
続いて、給湯システム１の動作を説明する。ここでは、父と母と子をユーザとする給湯システム１を設置した場合を例に挙げて説明する。
【００４４】
給湯システム１は、給湯リモコン３が掲示板機能を有する。すなわち、父や母や子（以下「ユーザ」とする）は、給湯リモコン３又はアプリ８０からメッセージを給湯リモコン３の掲示板に書き込んだり、掲示板を閲覧したりすることができる。
【００４５】
具体的には、給湯リモコン３のＣＰＵ４１は、図５に示す待機画面１１０を操作パネル３２に表示させる。待機画面１１０には、例えば、時刻１１１や、給湯器２が供給する湯の給湯温度１１２や、ＨＥＭＳ６Ｄが管理するエネルギーの情報１１３などが表示される。また、待機画面１１０には、おゆはりボタン１１４や、追い焚きボタン１１５や、入浴予定時間設定ボタン１１６や、ドアホンボタン１１７や、掲示板ボタン１１８などの操作ボタンが表示される。
【００４６】
おゆはりボタン１１４は、浴槽に湯を入れる指示を入力するための操作ボタンである。追い焚きボタン１１５は、浴槽に入っている湯を加熱する指示を入力するための操作ボタンである。つまり、待機画面１１０には、給湯システム１を遠隔操作するための操作ボタンが表示される。入浴予定時間設定ボタン１１６は、入浴予定時間を設定するための操作ボタンである。ドアホンボタン１１７は、待機画面１１０を、ドアホン用の画面に切り換えるための操作ボタンである。掲示板ボタン１１８は、掲示板を表示する指示を入力するための操作ボタンである。
【００４７】
ユーザが掲示板ボタン１１８をタッチすると、給湯リモコン３のＣＰＵ４１は、図７に示す掲示板表示画面１２０を操作パネル３２に表示させる。ユーザが、メッセージ書き込みボタン１２２を操作して給湯リモコン３にメッセージを入力すると、給湯リモコン３のＣＰＵ４１は、入力されたメッセージをメッセージデータベース４４２に記憶する。メッセージデータベース４４２に記憶されたメッセージは、掲示板に表示される。よって、給湯リモコン３に入力されたメッセージが、掲示板に表示される。
【００４８】
また、ユーザは、アプリ８０をスマホ１０にダウンロードする。ダウンロードが完了すると、アプリ８０の起動アイコンがスマホ１０に表示される。ユーザは、操作対象者の登録など初期設定を行う。その後、ユーザが起動アイコンをタップすると、アプリ８０が、図２に示す操作選択画面１７０をスマホ１０の操作パネル１０２に表示させる。
【００４９】
操作選択画面１７０には、メッセージ入力ボタン１７１と、メッセージ閲覧ボタン１７２と、入浴予定時間設定ボタン１７３と、操作対象者登録ボタン１７４、終了ボタン１７５などが表示される。メッセージ入力ボタン１７１は、掲示板に書き込むメッセージの入力を指示するボタンである。メッセージ閲覧ボタン１７２は、掲示板に掲示されるメッセージの閲覧を要求するボタンである。入浴予定時間設定ボタン１７３は、入浴予定時間の設定を指示するための操作ボタンである。操作対象者登録ボタン１７４は、操作対象者を登録するための操作ボタンである。
【００５０】
例えば、父がスマホ１０に表示されるメッセージ入力ボタン１７１をタッチすると、アプリ８０は、図３に示すメッセージ入力画面１４０を表示させる。メッセージ入力画面１４０には、例えば、メッセージ入力欄１４１と、完了ボタン１４２と、戻るボタン１４３が表示される。
【００５１】
メッセージ入力欄１４１は、入力されたメッセージを表示する。完了ボタン１４２は、メッセージ入力欄１４１に表示されるメッセージを、給湯リモコン３に送信することを指示するための操作ボタンである。戻るボタン１４３は、図３に示すメッセージ入力画面１４０を図２に示す操作選択画面１７０に切り換えることを指示するための操作ボタンである。
【００５２】
例えば、父が、メッセージ入力欄１４１に「７時頃に帰ります。」とのメッセージを書き込み、完了ボタン１４２をタップすると、アプリ８０は、入力されたメッセージに「父」を特定するユーザ情報と入力日時を特定する入力日時特定情報を埋め込み、スマホ１０から給湯リモコン３にメッセージを送信する。送信が完了すると、アプリ８０は、送信完了通知をスマホ１０の操作パネル１０２に表示させる。給湯リモコン３のＣＰＵ４１は、メッセージを受信すると、受信したメッセージをメッセージデータベース４４２に蓄積して記憶する。つまり、スマホ１０に入力したメッセージが給湯リモコン３の掲示板に書き込まれる。
【００５３】
ユーザは、給湯リモコン３又はアプリ８０を用いて、掲示板に書き込まれたメッセージを閲覧することができる。
【００５４】
具体的には、ユーザが図５に示す待機画面１１０の掲示板ボタン１１８にタッチすると、ＣＰＵ４１は、図７に示す掲示板表示画面１２０を操作パネル３２に表示させる。掲示板表示画面１２０には、メッセージ表示欄１２１Ａ，１２１Ｂ…と、メッセージ書き込みボタン１２２と、削除ボタン１２３と、戻るボタン１２４が表示される。尚、以下の説明で、特にメッセージ表示欄１２１Ａ，１２１Ｂ…を区別する必要がない場合には、メッセージ表示欄１２１と総称する。
【００５５】
メッセージ表示欄１２１は、メッセージデータベース４４２に記憶されたメッセージが、入力順に表示される。メッセージ表示欄１２１は、入力日時と、入力者と、メッセージとが一緒に表示され、誰がいつそのメッセージを入力したかわかるようになっている。
【００５６】
例えば、母が、給湯リモコン３を操作して掲示板表示画面１２０を表示させると、父がアプリ８０を利用して書き込んだメッセージ「７時頃に帰ります」が、メッセージ表示欄１２１Ｂに表示される。そこで、母が、書き込みボタン１２２にタッチし、「気を付けて、お帰り下さい。」とのメッセージを給湯リモコン３に入力すると、給湯リモコン３のＣＰＵ４１は、そのメッセージをメッセージデータベース４４２に記憶する。これにより、図７の掲示板表示画面１２０には、新規のメッセージ表示欄１２１Ｃが追加表示される。尚、給湯リモコン３のＣＰＵ４１は、メッセージを操作パネル３２に表示させる場合に、スピーカ３４からメッセージを音声出力させても良い。
【００５７】
その後、父が掲示板を閲覧すると、母のメッセージがスマホ１０の操作パネル１０２に表示される。すなわち、父が、アプリ８０を起動して、図２に示す操作選択画面１７０をスマホ１０の操作パネル１０２に表示させ、メッセージ閲覧ボタン１７２をタップすると、アプリ８０は、給湯リモコン３との接続を試みる。アプリ８０は、給湯リモコン３との接続に成功すると、掲示板の閲覧を給湯リモコン３に要求する。給湯リモコン３のＣＰＵ４１は、メッセージデータベース４４２からメッセージを読み出し、閲覧要求をしてきたスマホ１０に送信する。このとき、メッセージには、ユーザ情報と入力日時特定情報が埋め込まれている。アプリ８０は、給湯リモコン３からメッセージを受信すると、給湯リモコン３の掲示板表示画面１２０のメッセージ表示欄１２１と同様に、スマホ１０の操作パネル１０２にメッセージを表示させる。つまり、父は、自分が送ったメッセージや、母のメッセージを、スマホ１０で閲覧できる。
【００５８】
よって、ユーザは、外出先から給湯リモコン３の掲示板に、帰宅時間や夕食の有無などのメッセージを書き込むことができる。給湯リモコン３は、人が見やすい位置に設置されているので、掲示板に書き込まれたメッセージの見落としが少なくなる。
【００５９】
給湯システム１は、更に、入浴予定時間の設定を受け付けて運転計画を立案し、運転計画に沿って給湯器２を最適運転する。
【００６０】
すなわち、給湯システム１は、給湯リモコン３又はスマホ１０から入浴予定時間を随時受け付ける。
【００６１】
具体的には、ユーザは、給湯リモコン３から入浴予定時間を設定する場合、操作パネル３２に待機画面１１０を表示させる。ユーザが入浴予定時間設定ボタン１１６をタッチすると、給湯リモコン３のＣＰＵ４１は、例えば図６に示すように、入浴予定時間設定画面１３０を操作パネル３２に表示させる。入浴予定時間設定画面１３０には、入浴予定一覧１３２と、操作対象者表示欄１３４と、入浴予定時間設定欄１３６と、ＯＫボタン１３８と、戻るボタン１３９が表示されている。
【００６２】
入浴予定一覧１３２は、給湯リモコン３に登録された操作対象者の入浴予定時間を一覧表示するものである。これにより、操作対象者が、他の操作対象者と入浴予定時間が重ならないように、入浴予定時間を設定することが可能になる。つまり、例えば、母が入浴予定時間を設定する際に、父や子の入浴予定時間に重ならないように、入浴予定時間を設定することが可能になる。
【００６３】
操作対象者表示欄１３４は、入浴予定時間の設定対象になる者を表示する。入浴予定時間設定欄１３６は、入浴予定時間を設定するための操作ボタンである。入浴予定時間設定欄１３６が表示する時間は、調整ボタン１３７を操作することにより変更できる。ＯＫボタン１３８は、入浴予定時間設定画面１３０の入力操作内容を確定させてから、入浴予定時間設定画面１３０を待機画面１１０に戻すための操作ボタンである。戻るボタン１３９は、入浴予定時間設定画面１３０の入力操作内容を確定させずに、入浴予定時間設定画面１３０を待機画面１１０に戻すための操作ボタンである。
【００６４】
例えば、母が、図６中のＰ１に示すように、入浴予定一覧１３２の「母」にタッチすると、給湯リモコン３のＣＰＵ４１は、図中Ｐ２に示すように、操作対象者表示欄１３４に「母」と表示する。母が、図中Ｐ３に示すように、調整ボタン１３７にタッチして入浴予定時間を「２１：００」に設定し、ＯＫボタン１３８にタッチすると、ＣＰＵ４１は、設定内容を入浴予定時間データベース４４３に記憶する。具体的には、ＣＰＵ４１は、設定された入浴予定時間「２１：００」を「母」を特定するユーザ情報に関連付けてレコードを作成し、入浴予定時間データベース４４３の「母」のレコードに上書きする。これにより、最新の入浴予定時間が入浴予定時間データベース４４３に記憶される。
【００６５】
一方、ユーザは、スマホ１０から入浴予定時間を設定する場合、アプリ８０を起動して、図２に示す操作選択画面１７０の入浴予定時間設定ボタン１７３をタップする。すると、アプリ８０は、図４に示す入浴予定時間設定画面１５０をスマホ１０の操作パネル１０２に表示させる。入浴予定時間設定画面１５０には、操作対象者選択ボタン１５２と、入浴予定時間設定欄１５４と、完了ボタン１５６と、戻るボタン１５８が表示される。
【００６６】
操作対象者選択ボタン１５２は、入浴予定時間が設定される者を選択するための操作ボタンである。操作対象者は、選択操作ボタン１５３をタップすることにより、アプリ８０に登録済みの操作対象者が切り換えて表示される。入浴予定時間設定欄１５４は、入浴予定時間を設定するための操作ボタンである。時間調整ボタン１５５をタップすることにより、入浴予定時間設定欄１５４に表示される時間が変更される。完了ボタン１５６は、入浴予定時間の設定を確定し、設定内容を給湯リモコン３に送信することを指示するための操作ボタンである。戻るボタン１５８は、図４に示す入浴予定時間設定画面１５０を図２に示す操作選択画面１７０に切り換えることを指示するための操作ボタンである。
【００６７】
例えば、父は、帰宅時間の「１９：００」に合わせて、入浴予定時間を給湯リモコン３に設定する。すなわち、「父」は、図４に示す入浴予定時間設定画面１５０の操作対象者選択ボタン１５２において「父」を選択し、入浴予定時間に「１９：００」を設定し、完了ボタン１５６をタップする。すると、アプリ８０は、給湯リモコン３との接続を試みる。接続に成功すると、アプリ８０は、設定された入浴予定時間「１９：００」に「父」を特定するユーザ情報を埋め込み、給湯リモコン３に送信する。送信が完了すると、アプリ８０は、送信が完了したことを通知する完了通知を入浴予定時間設定画面１５０に合成し、操作パネル１０２に表示させる。尚、アプリ８０は、接続や送信に失敗した場合、エラーメッセージを入浴予定時間設定画面１５０に合成し、操作パネル１０２に表示させる。
【００６８】
給湯リモコン３のＣＰＵ４１は、通信ＩＦ３６を制御して入浴予定時間をスマホ１０から受信すると、受信した入浴予定時間に埋め込まれた入浴者特定情報から、入浴予定時間が「父」による設定であることを確認する。そこで、ＣＰＵ４１は、「父」の既存レコードに、受信した入浴予定時間を記憶するレコードを上書きする。つまり、入浴予定時間データベース４４３の「父」の「入浴予定時間」を「１９：００」に書き換える。これにより、最新の入浴予定時間が入浴予定時間データベース４４３に記憶される。
【００６９】
上記のように記憶した入浴予定時間は、給湯器２に渡される。すなわち、給湯器２は、所定の立案時間になると、通信ＩＦ１５を制御して、入浴予定時間を送信することを給湯リモコン３に要求する。所定の立案時間は、例えば、給湯負荷がない夜間の時間帯である。給湯リモコン３のＣＰＵ４１は、給湯器２から送信要求を受信すると、入浴予定時間データベース４４３に記憶されている入浴予定時間を読み出し、通信ＩＦ３６を制御して給湯器２に送信する。給湯器２のＣＰＵ２１は、通信ＩＦ１５を制御して、給湯リモコン３から入浴予定時間を受信すると、運転計画を作成する。
【００７０】
例えば、図８に示すように、「父」の入浴予定時間Ｑ１が「１９：００」、「母」の入浴予定時間Ｑ２が「２１：００」、「子」の入浴予定時間Ｑ３が「１９：３０」である場合、給湯器２のＣＰＵ２１は、最も早い入浴予定時間である「１９：００」に合わせて湯張りを開始する運転計画を立案する。例えば、ＣＰＵ２１は、外気温の影響や、実際の入浴時間が入浴予定時間から多少ずれる可能性があること等を見込み、図中Ｔ１に示すように、１８：４０から１８：５５まで給湯器２を運転し、湯張りを開始する運転計画を立案する。ＣＰＵ２１は、最初の入浴予定時間「１９：００」と次の入浴予定時間「１９：３０」との間に、時間差があまりなく、先の入浴が行われる間に、浴槽の湯温が下がる可能性があるので、図中Ｔ３に示すように、次の入浴予定時間である「１９：３０」に湯温が設定温度になるように、１９：２２から１９：２５までの約３分間、自動で追い焚きをする運転計画を立案する。更に次の入浴予定時間「２１：００」まで時間が空くので、ＣＰＵ２１は、一旦追い焚きを停止する。そして、ＣＰＵ２１は、「２１：００」に湯温が設定温度になるように、図中Ｔ２に示すように、２０：４５から２０：５５までの約１０分間、自動で追い焚きを行う運転計画を立案する。ＣＰＵ２１は、立案した運転計画を不揮発性メモリ２４に記憶する。
【００７１】
給湯器２のＣＰＵ２１は、運転制御プログラムを利用して、不揮発性メモリ２４に記憶された運転計画に基づいて給湯器２を運転する。すなわち、給湯器２のＣＰＵ２１は、浴槽に湯を供給する前に、浴槽の栓を閉めるコマンドを風呂リモコン４に送信する。風呂リモコン４のＣＰＵ６１は、排水制御装置５に栓を閉じる制御信号を送信する。これにより、浴槽の栓が湯張り開始前に閉められる。そして、給湯器２のＣＰＵ２１は、１８：４０になると、熱交換機１２を稼動させ、設定温度に加熱した湯を浴槽に供給する。これにより、１９：００までに浴槽に湯が貯められる。よって、父は、メッセージで送信した帰宅時間（１９：００）に帰宅すると直ぐに、風呂に入ることができる。
【００７２】
給湯器２のＣＰＵ２１は、１９：２２になると、熱交換機１２とポンプ１３を駆動させる。つまり、給湯器２は、父が入浴しているときに、追い焚きを行う。これにより、父の入浴により浴槽の湯が冷めても、子は、設定温度の湯に入ることができる。
【００７３】
給湯器２のＣＰＵ２１は、１９：２５になると、熱交換機１２とポンプ１３を停止させる。そして、ＣＰＵ２１は、２０：４５になると、再び、熱交換機１２とポンプ１３を駆動させる。つまり、給湯器２は、再度追い焚きを行う。これにより、子の入浴後、母が入浴するまでの間、無駄な追い焚きが回避される。また、時間の経過とともに浴槽の湯が冷めても、母の入浴予定時間までに、浴槽の湯が設定温度に加熱されているので、母は快適に入浴することができる。
【００７４】
ところで、入浴予定時間は、変更されることがある。例えば、図８に示すように、子が入浴予定時間を「１９：３０」に設定していたが、その後、友達と夕食を食べて帰ることになったため、帰宅時間が予定より遅くなり、入浴予定時間が遅れることがある。
【００７５】
この場合、「子」は、自分のスマホ１０から入浴予定時間を、例えば、「１９：３０」から、「２２：００」に変更する。給湯リモコン３のＣＰＵ４１は、通信ＩＦ３６を制御して、子のスマホ１０から入浴予定時間を受信することによって、入浴予定時間の設定を受け付ける。ＣＰＵ４１は、受け付けた入浴予定時間が既存の入浴予定時間と異なることを検出すると、入浴予定時間が変更されたと判断する。この場合、ＣＰＵ４１は、入浴予定時間データベース４４３の「子」のレコードについて、入浴予定時間を「１９：３０」から「２２：００」に書き換える。そして、ＣＰＵ４１は、変更後の入浴予定時間を入浴予定時間データベース４４３から読み出して給湯器２に送信する。尚、送信するデータは、変更部分のみ送信しても良いし、一括して全部送信しても良い。
【００７６】
給湯器２のＣＰＵ２１は、変更後の入浴予定時間を給湯リモコン３から受信すると、運転プログラム７０を利用して、運転計画を修正する。例えば、給湯器２のＣＰＵ２１は、図８のＱ３，Ｑ４に示すように、「子」の入浴予定時間が「１９：３０」から「２２：００」に変更されたことに伴い、図８のＴ３に示す１９：２２から１９：２５までの自動追い焚き運転を、図中点線で示すＴ４に示す２１：５０から２１：５５までの自動追い焚き運転に変更する。そして、不揮発性メモリ２４に記憶されている既存の運転計画を、変更後の運転計画に書き換える。その後、ＣＰＵ２１は、書き換え後の運転計画に従って、給湯器２を運転する。
【００７７】
このように、給湯器２は、実際の入浴予定時間に合わせて運転計画を立案し、修正できるので、湯張りや追い焚きが、実際の入浴時間より早すぎたり、遅すぎたりすることがなく、給湯器２は最適に運転される。つまり、放熱損などのエネルギーロスや、無駄な追い焚きによるエネルギー消費などを抑制するように、給湯器２を運転させることができる。
【００７８】
以上説明したように、本形態の給湯システム１は、（１）湯を供給する給湯器２と、給湯器２を遠隔操作する給湯リモコン３とを備える給湯システム１において、給湯リモコン３は、ＣＰＵ４１と、操作パネル３２と、スピーカ３４と、不揮発性メモリ４４（すなわち、メッセージデータベース４４２）と、スマホ１０との通信を制御する通信ＩＦ３６と、を有し、ＣＰＵ４１が、操作パネル３２に入力されたメッセージ、又は、通信ＩＦ３６を介してスマホ１０から受信したメッセージを不揮発性メモリ４４（すなわち、メッセージデータベース４４２）に記憶させ、不揮発性メモリ４４（すなわち、メッセージデータベース４４２）に記憶されたメッセージを操作パネル３２又はスピーカ３４に報知させること、を特徴とする。
【００７９】
このような構成の給湯システム１は、台所やリビングなど人が集まる場所に設置される給湯リモコン３に、給湯リモコン３又はスマホ１０を用いて書き込まれたメッセージを報知する掲示板機能を持たせているので、給湯リモコン３をコミュニケーションツールの１つとして活用することができる。また、給湯リモコン３は、壁に設置されて移動しないので、移設や紛失の恐れがなく、例えば家族間で共用しやすい。
【００８０】
（２）（１）に記載する給湯システム１において、ＣＰＵ４１は、通信ＩＦ３６を介してスマホ１０からメッセージの閲覧要求を受け付けた場合に、不揮発性メモリ４４（すなわち、メッセージデータベース４４２）に記憶されたメッセージを、通信ＩＦ３６を介してスマホ１０に送信すること、を特徴とする。
【００８１】
このような構成によれば、スマホ１０から給湯リモコン３の掲示板を閲覧できるので、ユーザ間での情報共有が容易になり、便利である。
【００８２】
（３）（１）又は（２）に記載する給湯システム１において、給湯リモコン３が、情報を表示する操作パネル３２と、音声を出力するスピーカ３４を有すること、を特徴とする。
【００８３】
このような構成によれば、ユーザが、給湯リモコン３に既設された操作パネル３２を用いてメッセージを表示したり、給湯リモコン３に既設されたスピーカ３４からメッセージを音声出力したりすることができるので、配線工事等を別途行わずに、掲示板の閲覧機能を給湯リモコン３に持たせることができる。
【００８４】
（４）（１）乃至（３）の何れか１つに記載する給湯システム１において、前記操作パネル３２を介して閲覧指示が入力された場合に、メッセージを操作パネル３２又はスピーカ３４から報知させること、を特徴とする。
【００８５】
このような構成によれば、ユーザが都合の良いときにメッセージを確認でき、便利である。
【００８６】
（５）（１）乃至（４）の何れか１つに記載する給湯システム１において、入浴を予定する入浴予定時間をユーザ毎に設定し、設定された入浴予定時間を不揮発性メモリ４４（すなわち、入浴予定時間データベース４４３）に記憶させ、不揮発性メモリ４４（すなわち、入浴予定時間データベース４４３）に記憶された入浴予定時間に従って、給湯器２を最適に運転する運転計画を作成し、運転計画作成手段が作成した運転計画に従って、給湯器２の運転を制御すること、を特徴とする。
【００８７】
このような構成によれば、入浴予定時間に合わせて運転計画を立案できるので、給湯器２の運転と入浴時間との乖離を小さくして、省エネ効果を高めることができる。
【００８８】
（６）（５）に記載する給湯システム１において、操作パネル３２を介して入浴予定時間を設定し、通信ＩＦ３６を介してスマホ１０から入浴予定時間を設定すること、を特徴とする。
【００８９】
このような構成によれば、スマホ１０を利用して外出先から給湯リモコン３に入浴予定時間を設定できるので、実際の入浴時間と入浴予定時間とのズレを抑制し、省エネ効果を更に高めることができる。
【００９０】
（７）（５）又は（６）に記載する給湯システム１において、運転計画作成手段（すなわち、運転プログラム７０）は、運転計画を作成した後、入浴予定時間が変更された場合、変更後の入浴予定時間を運転計画に反映させて運転計画を修正すること、を特徴とする。
【００９１】
このような構成によれば、入浴予定時間の変更に応じて運転計画を柔軟に修正できるので、給湯器２の運転を実際の入浴時間に適合させ、省エネ効果を更に高めることができる。
【００９２】
尚、本発明は、上記実施形態に限定されることなく、色々な応用が可能である。
【００９３】
例えば、上記実施形態では、メッセージデータベース４４２を給湯リモコン３に設けたが、クラウドサーバなど外部ストレージ媒体にメッセージデータベース４４２を設けても良い。これによれば、給湯リモコン３は、メモリ負荷が軽減され、小型化される。
【００９４】
例えば、掲示板機能のみを給湯リモコン３に持たせ、入浴予定時間に基づく最適運転機能は省略しても良い。
【００９５】
例えば、入浴予定時間の設定は、給湯リモコン３とスマホ１０の何れか一方からのみ行うようにしても良い。
【００９６】
例えば、入浴予定時間が変更されても、運転計画は変更されないようにしても良い。
【００９７】
例えば、給湯リモコン３は、太陽光発電装置６Ｂや、蓄電器６Ｃや、ＨＥＭＳ６Ｄなどに接続されなくても良い。
【００９８】
例えば、上記形態では、ＣＰＵ４１が、操作パネル３２の操作を受け付けて、メッセージを操作パネル３２に表示させた。これに対して、ＣＰＵ４１は、メッセージを取得すると同時に、操作パネル３２に表示させても良い。つまり、例えば、給湯リモコン３は、スマホ１０からメッセージを受信すると直ぐに、テロップ表示などでメッセージを操作パネル３２に表示させても良い。この場合、給湯リモコン３は、メッセージの表示と共に、スピーカ３４からメッセージを音声出力しても良い。これによれば、例えば、母は、夕食の準備等で給湯リモコン３を見ていない場合でも、スピーカ３４の音声出力によりメッセージに気付き、メッセージ内容を確認できる。
【００９９】
例えば、給湯リモコン３は、メッセージを操作パネル３２に表示させず、スピーカ３４のみから音声出力しても良い。
【０１００】
例えば、上記形態では、掲示板機能の利用や入浴予定時間の設定などを、アプリ８０がスマホ１０を利用して行ったが、スマホ１０やＰＣなどの情報処理装置がブラウザを利用して行っても良い。例えば、ＰＣやスマホ１０などの情報処理装置からＵＲＬを用いて、入浴予定時間を設定する専用ページにアクセスし、アプリ８０と同様の機能を実現するようにしても良い。
【０１０１】
例えば、掲示板機能を給湯リモコン３に持たせなくても良い。例えば、家族で外出した場合、渋滞や夕食時間などにより、帰宅時間が通常とずれることがある。そのため、直近の運転履歴等から入浴予定時間を予測して運転計画を立案し、その運転計画に従って給湯器を運転したとしても、実際の入浴時間が予測した入浴時間から乖離し、省エネ性の高い運転をできない可能性がある。しかし、本形態では、給湯リモコン３が、通信機能を有しており、通信ＩＦ３６を介してスマホ１０から取得した入浴予定時間と、給湯リモコン３に入力された入浴予定時間を用いて、給湯器２の運転計画を立案し、立案した運転計画に従って給湯器２を運転する。そのため、例えば、ユーザが外出先から入浴予定時間を入力すれば、その入浴予定時間に合わせて運転計画を立案できるので、実際の入浴時間が運転計画の入浴時間から大きく乖離せず、給湯器２を最適運転して省エネ効果を高めることができる。特に、外出先から入浴予定時間を給湯リモコン３に設定できるので、ユーザの使い勝手が良い。
【符号の説明】
【０１０２】
１      給湯システム
２      給湯器
３      給湯リモコン
１０    スマホ
３２    操作パネル
３６    通信ＩＦ
４１    ＣＰＵ
４４    不揮発性メモリ
７０    運転プログラム
４４１  制御プログラム
【図１】
2019174089.tif 000003
【図２】
2019174089.tif 000004
【図３】
2019174089.tif 000005
【図４】
2019174089.tif 000006
【図５】
2019174089.tif 000007
【図６】
2019174089.tif 000008
【図７】
2019174089.tif 000009
【図８】
2019174089.tif 000010